(57)【特許請求の範囲】
【請求項１】
せん刃と、
アダプタと、
電源回路と、
ＬＥＤを実装した基板と、
前記せん刃、前記アダプタ、前記電源回路、前記基板を収納する筐体と、を有し、
前記アダプタは、底板と、前記底板の外周縁において天井の方向に立設された縦壁と、を有し、
前記せん刃は、前記アダプタの前記底板に一体化されると共に、前記天井に固定された引掛シーリングに引掛固定して導通する引掛爪と、前記電源回路に接続されて前記電源回路に電力を供給する導電部と、を有し、
前記基板は、前記アダプタの底板の前記天井とは反対の側の面に当接して配置されており、かつ、前記電源回路からの電源の供給を受ける接続ピンを備え、
前記電源回路は、前記アダプタと前記天井との間にできる隙間に納まるように、前記アダプタの底板の前記天井の側の面上に設けられており、かつ、前記基板に設けられている前記接続ピンに接続される接続端子を備えている、
ことを特徴とする照明器具。
【請求項２】
前記アダプタが前記引掛シーリングに対して回転するのを阻止するロック機構と、前記ロック機構を解除する解除レバーとを前記アダプタに設けたことを特徴とする請求項１に記載の照明器具。
【請求項３】
前記基板からの熱を放熱する放熱部を前記筐体の側面部に設け、前記筐体の側面部は、前記アダプタの前記縦壁と当接すると共に、前記アダプタの前記縦壁よりも外側に位置することを特徴とする請求項１または請求項２に記載の照明器具。
【請求項４】
前記筐体の側面部の前記天井側の端部は、前記照明器具が前記天井に取り付けられた状態において、前記天井に接することを特徴とする請求項１ないし請求項３のいずれかに記載の照明器具。
【発明の詳細な説明】
【技術分野】
【０００１】
本発明は、発光ダイオードを用い天井に取り付けられた引掛シーリングに装着して使用する照明器具に関するものである。
【背景技術】
【０００２】
従来より、天井に取り付けられた引掛シーリングに装着して使用する照明器具が知られている（例えば特許文献１参照）。
以下、図６により、特許文献１に記載の従来の照明器具１００について説明する。この照明器具１００は、天井１０１に設置された引掛シーリング１０２に装着して使用できるものであり、円板状の器具本体１０５には、引掛シーリング１０２に電気的および機械的に着脱可能なアダプタ１０３が設けられている。このアダプタ１０３は、各種の引掛シーリングに装着可能である。アダプタ１０３の側面には、一対の係合爪１０４がバネに付勢されて突出しており、係合爪１０４をケース内部に後退させる取外し用ボタン１１７がケースに設けられている。
なお、図６においては、高さが低い埋込型の引掛シーリング１０２を示し、高さが高い角型の引掛シーリングについては図示を省略する。
【０００３】
器具本体１０５の中央部の平坦部１０６には、アダプタ１０３が挿入可能な大きさの開口部１０７が設けられており、開口部１０７の周囲には、引掛シーリングの種類に対応した取付体１１５を取り付けるための装着部１１６が設けられている。器具本体１０５の下面には反射体１０８が取り付けられており、反射体１０８の中央には開口部１０７に連通する筒部１０９が設けられている。筒部１０９の内部には、アダプタ１０３の下部と係合する第１の係合部１１０と、アダプタ１０３の係合爪１０４と係合する第２の係合部１１１が設けられている。
【０００４】
また、反射体１０８の外面には、環形の蛍光ランプ１１２を装着するランプ装着手段１１３が設けられており、反射体１０８の内側には、蛍光ランプ１１２を点灯させるための点灯装置（図示省略）等が設けられている。
また、器具本体１０５の下面には、蛍光ランプ１１２等を覆うセード１１４が着脱可能に設けられている。
【０００５】
従って、図示はしないが、照明器具１００の器具本体１０５を、天井１０１に取り付けられた高さが高い引掛シーリング（図示省略）に装着する際には、引掛シーリングに装着したアダプタ１０３に器具本体１０５の開口部１０７を係合させる。このとき、引掛シーリングの高さが高いので、アダプタ１０３の係合爪１０４に対して下側の第１の係合部１１０が係合する。
【０００６】
また、図６に示すように、高さが低い引掛シーリング１０２に器具本体１０５を装着する際には、器具本体１０５の装着部１１６に取付体１１５を取り付け、引掛シーリング１０２に装着したアダプタ１０３に、器具本体１０５の開口部１０７を係合する。このとき、引掛シーリング１０２の高さが低いので、アダプタ１０３の係合爪１０４に対して上側の第２の係合部１１１が係合し、引掛シーリング１０２は取付体１１５の内側に相対的に進入する。
【先行技術文献】
【特許文献】
【０００７】
【特許文献１】特開平１０−２７５５１６号公報（第１図）
【発明の概要】
【発明が解決しようとする課題】
【０００８】
しかしながら、前述した特許文献１に記載の従来の照明器具１００のように、天井１０１からの引掛シーリング１０２を用いて照明器具１００を設置する場合、引掛シーリング１０２の下にアダプタ１０３を装着するため、少なくとも引掛シーリング１０２の高さプラスアダプタ１０３の厚さがあり、近年の薄型化のニーズに十分に答えることができないという問題があった。
【０００９】
また、引掛シーリング１０２から電力の供給を受けたアダプタ１０３と点灯装置との間、および点灯装置とランプソケットとの間の電気的接続が、一般に電線により行われているため、設置スペースおよび作業スペースのために薄型化に限界があった。
さらに、照明器具において光源として発光ダイオード（以後、「ＬＥＤ」という）を用いる場合には、発光効率を向上させるために、薄型化に伴って一層の放熱対策が要求される。
【００１０】
本発明は、従来の問題を解決するためになされたもので、天井に取り付けられた引掛シーリングに装着するＬＥＤを用いた照明器具であって、一層の薄型化を図ることができる照明器具を提供することを目的とする。
【課題を解決するための手段】
【００１１】
本発明の照明器具は、せん刃と、アダプタと、電源回路と、ＬＥＤを実装した基板と、前記せん刃、前記アダプタ、前記電源回路、前記基板を収納する筐体と、を有し、前記アダプタは、底板と、前記底板の外周縁において天井の方向に立設された縦壁と、を有し、前記せん刃は、前記アダプタの前記底板に一体化されると共に、前記天井に固定された引掛シーリングに引掛固定して導通する引掛爪と、前記電源回路に接続されて前記電源回路に電力を供給する導電部と、を有し、前記基板は、前記アダプタの底板の前記天井とは反対の側の面に当接して配置されており、かつ、前記電源回路からの電源の供給を受ける接続ピンを備え、前記電源回路は、前記アダプタと前記天井との間にできる隙間に納まるように、前記アダプタの底板の前記天井の側の面上に設けられており、かつ、前記基板に設けられている前記接続ピンに接続される接続端子を備えている、構成を有している。
【００１２】
この構成により、せん刃の引掛爪を天井に固定された引掛シーリングに引っ掛けて固定および導通することにより、アダプタを引掛シーリングに取り付ける。このとき、せん刃と結合生成された導電部を介して電源回路に電力を供給するとともに、電源回路の接続端子をＬＥＤが実装されている基板の接続ピンに結合することにより、電力を基板に供給して点灯させる。このため、照明器具内部の電気部品間の接続を、電線を用いずに直接行うことができるので、照明器具の薄型化を図ることができるとともに、組立工数の削減、コストの低減を図ることができる。
【００１４】
また、この構成により、せん刃がアダプタと一体成形されているので、従来必要とされたアダプタ固定用のホルダが不要となり、部品点数の削減が図れる。また、電源回路を天井とアダプタとの間に配置したので、照明器具の薄型化、軽量化、コストダウンを図ることができる。
【００１５】
また、本発明の照明器具は、前記アダプタが前記引掛シーリングに対して回転するのを阻止するロック機構と、前記ロック機構を解除する解除レバーとを前記アダプタに設けた構成を有している。
【００１６】
この構成により、ロック機構が、アダプタが引掛シーリングに対して回転するのを阻止するので、照明器具の脱落を防止することができる。また、解除レバーによってロック機構を解除できるので、照明器具の取外しを行うことができる。
【００１８】
また、この構成により、ＬＥＤを実装した基板が、アダプタの一面に当接しているので、基板からの熱をアダプタ側へ放熱することができ、別途部品を用いることなく基板を冷却して、発光効率を向上させることができる。
【００１９】
また、本発明の照明器具は、前記基板からの熱を放熱する放熱部を前記筐体の側面部に設け、前記筐体の側面部は、前記アダプタの前記縦壁と当接すると共に、前記アダプタの前記縦壁よりも外側に位置する構成を有している。
【００２０】
この構成により、筐体の側面部とアダプタの垂直方向の端面とが当接するとともに筐体の側面部に放熱部を設けたので、ＬＥＤを実装した基板からの熱はアダプタに伝達され、さらに筐体に伝達して放熱部により放熱できる。これにより、別途部品を用いることなく基板を冷却して、発光効率を向上させることができる。
【００２１】
さらに、本発明の照明器具は、前記筐体の側面部の前記天井側の端部は、前記照明器具が前記天井に取り付けられた状態において、前記天井に接する構成を有している。
【００２２】
この構成により、筐体の天井側端部が天井に接しているので、ＬＥＤを実装した基板からの熱は、アダプタおよび筐体を介して天井に伝達されて放熱される。また、筐体の天井側端部が天井に接しているので、虫や埃が照明器具内部に進入するのを防止できる。
【発明の効果】
【００２３】
本発明は、せん刃と結合生成された導電部を介して電源回路に電力を供給するとともに、電源回路の接続端子をＬＥＤが実装されている基板の接続ピンに結合することにより、電力を基板に供給して点灯させるので、照明器具内部の電気部品間の接続を、電線を用いずに行うことができ、照明器具の薄型化を図ることができるとともに、組立工数の削減、コストの低減を図ることができるという効果を有する照明器具を提供できる。
【図面の簡単な説明】
【００２４】
【図１】本発明に係る実施形態の照明器具を示す分解斜視図
【図２】（Ａ）は照明器具の平面図、（Ｂ）は（Ａ）中Ｂ−Ｂ線に沿った断面図
【図３】筐体をはずした状態を示す側面図
【図４】せん刃の形状および一体成形を示す断面図
【図５】ロック機構の断面図
【図６】従来の照明器具の断面図
【発明を実施するための形態】
【００２５】
以下、本発明の実施形態の照明器具について、図面を用いて説明する。
図１に示すように、本発明に係る実施形態の照明器具１０は、例えば被取付部である天井１１（図２（Ｂ）参照）に取り付けられている引掛シーリング５０に装着することにより、天井１１に取り付けて使用することができる。
照明器具１０は、引掛シーリング５０に取り付けられる一対のせん刃２１と、このせん刃２１を一体的に備えたアダプタ２０と、ＬＥＤを有するＬＥＤパッケージ３１を実装した基板３０と、基板３０に電力を供給する電源回路２２とを有し、これらアダプタ２０、せん刃２１、電源回路２２、基板３０を収納する筐体４０を有する。
【００２６】
図２（Ａ）に示すように、引掛シーリング５０は、例えば、矩形箱状の引掛シーリング本体５１を有しており、本体５１の底板５２には、底板５２の中心を中心として同一半径の円弧状切欠き５３が一対設けられている。一対の円弧状切欠き５３は、中心に対して点対称に設けられており、各円弧状切欠き５３の一方の端部には内側に拡幅された挿入口５３ａが設けられている。なお、各円弧状切欠き５３の内側縁部には、商用電源に接続された電極５４が各々設けられている。
【００２７】
図１に示すように、アダプタ２０は、円板状の底板２３を有し、底板２３の外周縁には底板２３に対して垂直な縦壁２４が設けられている。縦壁２４の外周面には、筐体４０に取り付けるためのネジ部２４ａが形成されている。アダプタ２０の中心部には、引掛シーリング５０を所定角度だけ回転可能に収容する収容部２５が設けられている。底板２３の上面２３ｃにおける収容部２５の内部には、一対のせん刃２１、２１が一体成形により所定間隔離して取り付けられる。
【００２８】
アダプタ２０の収容部２５の近傍には、せん刃２１と電源回路２２との導通を図るための導通箱２６が、一体成形により上方へ突出して設けられている。導通箱２６は仕切り２６ａにより２分割されており、導通箱２６に挿入される一対のせん刃２１、２１の絶縁性を保持している。さらに、底板２３には、電源回路２２と基板３０を連結するための切欠き２３ａが設けられている（図２（Ａ）参照）。
なお、アダプタ２０は、熱伝導率の良好な金属製とするのが望ましい。
【００２９】
図１および図４に示すように、せん刃２１は、アダプタ２０の底板２３に一体成形される平板状のインサート部２１ａと、インサート部２１ａの一方の端部を直角に曲げあげた爪支持部２１ｂと、爪支持部２１ｂの上端部をインサート部２１ａと平行に折り曲げた引掛爪２１ｃを有する。図２に示すように、引掛爪２１ｃは、引掛シーリング５０の円弧状切欠き５３の挿入口５３ａから引掛シーリング５０の内部に挿入され、アダプタ２０を回転させることにより円弧状切欠き５３に沿って移動させて電極５４と接触する。これにより、せん刃２１は、引掛シーリング５０により支持されるとともに導通して電力の供給を受ける。
【００３０】
また、図４に示すように、せん刃２１は、インサート部２１ａの他方の端部を直角に曲げ上げた導電部２１ｄを有する。図２（Ｂ）に示すように、導電部２１ｄは収容部２５に隣接する導通箱２６の内部に収容され、上方に向けて露出する。導電部２１ｄは、電源回路２２に接続されて、電源回路２２に電力を供給する（参照）。
【００３１】
図１および図２に示すように、収容部２５の内部において装着状態にある引掛シーリング５０の近傍には、引掛シーリング５０の脱落を防止するためにロック機構２７が設けられている。
図５に示すように、ロック機構２７は、引掛シーリング５０の回転を阻止するロック爪２７ａを有する。ロック爪２７ａは、収容部２５に設けられた凹部２５ａに設けられており、スプリング２７ｂによって常時上方へ付勢されていて底板２３の上面２３ｃに出没可能となっている。ロック爪２７ａの側面下部にはロック解除用のブロック２７ｃが一体的に設けられており、斜面２７ｄを有する。
【００３２】
また、収容部２５にはレバー用通路２８が凹部２５ａに連通して設けられており、レバー用通路２８内部には、ロックを解除するための解除レバー２７ｅが往復移動可能に設けられている。解除レバー２７ｅは、一方の先端にブロック２７ｃの斜面２７ｄと平行な斜面２７ｆを有し、斜面２７ｆが斜面２７ｄと当接した状態で解除レバー２７ｅの他方の先端がレバー用通路２８から突出する長さを有する。
【００３３】
従って、図５に示すロック状態を解除する際には、解除レバー２７ｅをレバー用通路２８に押し込み（図５中矢印Ａ）、先端の斜面２７ｆでブロック２７ｃの斜面２７ｄを下方へ押すことにより、ロック爪２７ａを下降させる（図５中矢印Ｂ）。これにより、アダプタ２０は引掛シーリング５０に対して回転可能となり、せん刃２１を引掛シーリング５０から取り外すことができる。
【００３４】
図１および図２に示すように、電源回路２２は、アダプタ２０と天井１１との間にできる隙間２０ａに納まるように、アダプタ２０の天井側上面の一面上、すなわち、アダプタ２０の底板２３の上面２３ｃに取り付けられる。電源回路２２は略矩形の箱状をしており、アダプタ２０の収容部２５に対向する側面には、導通箱２６を収容する凹部２２ａを有する。凹部２２ａには一対の受電端子２２ｂ、２２ｂが設けられており、凹部２２ａの上面２２ｃから下方に向けて露出している。
従って、電源回路２２を底板２３の上面２３ｃに取り付ける際に、導通箱２６が電源回路２２の凹部２２ａに嵌合するように上方から取り付けることにより、電源回路２２の受電端子２２ｂが導通箱２６の内部に進入して、せん刃２１の導電部２１ｄと接触して導通する。
【００３５】
また、電源回路２２の端面にはＬ字形状をした通路２２ｄが設けられており、下向きの先端部２２ｅは下方に向けて開口している。先端部２２ｅは、電源回路２２の底面よりも下方へ突出しており、電源回路２２をアダプタ２０の底板２３に取り付ける際に、底板２３の切欠き２３ａの内部に挿入される。先端部２２ｅの内部には、一対の接続端子２２ｆ、２２ｆが下方に向けて設けられている。
【００３６】
図１および図２に示すように、ＬＥＤを実装した基板３０は円板状をしており、アダプタ２０の天井取付面と反対側の略水平な一面、すなわち、アダプタ２０の底板２３の下面２３ｂに密着するように固定される（図３参照）。基板３０の上面にはＬＥＤ（図示省略）を有する多数のＬＥＤパッケージ３１が設けられており、各ＬＥＤパッケージ３１に電気的に接続された一対の接続ピン３２、３２が上方へ突出して設けられている。接続ピン３２は、基板３０をアダプタ２０に取り付けた状態では、アダプタ２０の底板２３の切欠き２３ａを通って、底板２３の上面２３ｃから突出する。
従って、電源回路２２の通路２２ｄの先端部２２ｅを底板２３の切欠き２３ａに挿入して、電源回路２２をアダプタ２０の底板２３に取り付けると、電源回路２２の通路２２ｄの接続端子２２ｆと基板３０の接続ピン３２とが接触して導通する。これにより、基板３０に電力が供給される。
【００３７】
図１および図２に示すように、筐体４０は下端には開口部を有する円柱形状の周壁４１を有しており、内部にアダプタ２０や基板３０を収納する。周壁４１の内周面４１ａには、アダプタ２０の縦壁２４に設けられているネジ部２４ａが螺合するネジ部４２が設けられている。また、周壁４１の外周面には、基板３０からの熱を放熱する放熱部４４が設けられている。放熱部４４の表面には、凹凸を設けて表面積を大きくするのが望ましい。なお、開口部には、透明カバー４３が取り付けられている。また、筐体４０は、熱伝導率の良好な金属製とするのが望ましい。
従って、アダプタ２０のネジ部２４ａと筐体４０のネジ部４２とを螺合することにより、筐体４０はアダプタ２０に取り付けられるので、筐体４０の側面部である周壁４１はアダプタ２０の天井１１と垂直方向の端面である縦壁２４と当接することになる。
【００３８】
次に、照明器具１０の天井１１への取付作業について説明する。
アダプタ２０の底板２３に電源回路２２を取り付けて、せん刃２１の導電部２１ｄと電源回路２２の受電端子２２ｂとを導通させるとともに、電源回路２２の通路２２ｄの先端部２２ｅをアダプタ２０の底板２３の切欠き２３ａに挿入する。そして、アダプタ２０の底板２３の下面２３ｂに基板３０を取り付けて、電源回路２２の通路２２ｄの接続端子２２ｆと、基板３０の接続ピン３２とを導通させる。
【００３９】
次に、アダプタ２０の縦壁２４のネジ部２４ａに、筐体４０内周面４１ａのネジ部４２を螺合させて、筐体４０をアダプタ２０に取り付ける。このとき、筐体４０の天井側端部である周壁４１の上端面４１ｂが、取り付け状態において天井１１に接するようにするのが望ましい（図２（Ｂ）参照）。
【００４０】
照明器具１０を天井１１の引掛シーリング５０から取り外す際には、筐体４０を回転させてアダプタ２０から外し、アダプタ２０の外側に突出している解除レバー２７ｅを押しながらアダプタ２０を回転させる。すなわち、解除レバー２７ｅがロック爪２７ａを下降させるのでロックが解除され、アダプタ２０は引掛シーリング５０に対して相対的に回転可能となる。これにより、アダプタ２０を回転させてせん刃２１の引掛爪２１ｃを引掛シーリング５０の円弧状切欠き５３の挿入口５３ａから抜き取る。
【００４１】
以上、説明した本発明の実施形態に係る照明器具１０によれば、せん刃２１の引掛爪２１ｃが引掛シーリング５０の電極５４から電力を受けて、せん刃２１の導電部２１ｄを介して電源回路２２の受電端子２２ｂに直接電力を供給するとともに、電源回路２２の接続端子２２ｆが基板３０の接続ピン３２に結合して直接電力を基板３０に供給するので、照明器具１０内部の電気部品間の接続を、電線を用いずに行うことができる。これにより、照明器具１０の薄型化を図ることができるとともに、組立工数の削減、コストの低減を図ることができる。
【００４２】
また、せん刃２１がアダプタ２０と一体成形されているので、従来必要とされたアダプタ固定用のホルダが不要となり、部品点数の削減が図れる。また、電源回路２２を天井１１とアダプタ２０との間の隙間２０ａに配置したので、照明器具１０の薄型化、軽量化、コストダウンを図ることができる。
【００４３】
また、ロック機構２７が、アダプタ２０が引掛シーリング５０に対して回転するのを阻止するので、照明器具１０の脱落を防止することができる。また、解除レバー２７ｅによってロック機構２７を解除できるので、照明器具１０の取外しを行うことができる。
【００４４】
また、ＬＥＤパッケージ３１を実装した基板３０が、アダプタ２０の底板２３の下面２３ｂに当接しているので、基板３０からの熱をアダプタ２０側へ放熱することができ、別途部品を用いることなく基板３０を冷却して、発光効率を向上させることができる。
【００４５】
また、筐体４０の周壁４１とアダプタ２０の縦壁２４とが当接するとともに、筐体４０の周壁４１に放熱部４４を設けたので、基板３０からの熱はアダプタ２０に伝達され、さらに筐体４０に伝達されて放熱部４４により放熱できる。これにより、別途部品を用いることなく基板３０を冷却して、発光効率を向上させることができる。
【００４６】
さらに、筐体４０の周壁４１の上端面４１ｂが天井１１に接しているので、ＬＥＤを実装した基板３０からの熱は、アダプタ２０および筐体４０を介して天井１１に伝達されて放熱される。また、周壁４１の上端面４１ｂが天井１１に接しているので、虫や埃が照明器具１０内部に進入するのを防止できる。
【００４７】
なお、本発明の照明器具は、前述した実施形態に限定されるものでなく、適宜な変形，改良等が可能である。
【符号の説明】
【００４８】
１０  照明器具
１１  天井
２０  アダプタ
２０ａ  隙間
２１  せん刃
２１ｃ  引掛爪
２１ｄ  導電部
２２  電源回路
２２ｆ  接続端子
２３  底板（天井側上面の一面）
２３ｂ  下面（天井取付面と反対側の略水平な一面）
２４  縦壁（天井と垂直方向の端面）
２７  ロック機構
２７ｅ  解除レバー
３０  基板
３２  接続ピン
４０  筐体
４１  周壁（側面部）
４１ｂ  上端面（筐体の天井側端部）
４４  放熱部
５０  引掛シーリング
【図１】
0005495370.tif 000002
【図２】
0005495370.tif 000003
【図３】
0005495370.tif 000004
【図４】
0005495370.tif 000005
【図５】
0005495370.tif 000006
【図６】
0005495370.tif 000007